(57)【要約】【課題】  新たな蝶番部品の調達する必要がなく、開き勝手の変更作業を、低コストでかつ簡単な作業によって実施できる障子の支持構造を提供する。【解決手段】  建物Ｂの左右の縦枠１０に挟まれた空間に、障子１４を蝶番１８によって開閉自在に支持する。障子１４の左右の縁部に、同じ高さ位置に、蝶番結合部２２を設ける。左右の縦枠１０の双方に、障子１４を開閉自在に支持可能な蝶番１８を、左右の蝶番結合部２２に対応する位置に取り付ける。【選択図】      図５
2005083076.tif 000002
【特許請求の範囲】
【請求項１】
建物の左右の縦枠に挟まれた空間に、障子を蝶番によって開閉自在に支持するための障子の支持構造であって、
前記障子の左右の縁部には、同じ高さ位置に蝶番結合部が設けられ、
前記左右の縦枠の双方に、前記障子を開閉自在に支持可能な蝶番が、前記左右の蝶番結合部に対応する位置に取り付けられていることを特徴とする障子の支持構造。
【請求項２】
前記蝶番結合部は、前記障子に穿設された取付穴を挿通するねじ部材と、このねじ部材に螺合する固定部材とを有することを特徴とする請求項１に記載の障子の支持構造。
【請求項３】
前記蝶番には係止爪が設けられ、前記蝶番結合部には、前記係止爪に係脱自在な掛け金が設けられていることを特徴とする請求項１または請求項２に記載の障子の支持構造。
【請求項４】
前記障子は、外壁ガラスと内障子からなる二重窓の内障子であることを特徴とする請求項１ないし請求項３のいずれかに記載の障子の支持構造。
【請求項５】
前記外壁ガラスと内障子の間の空間に通気する通気手段が設けられていることを特徴とする請求項４に記載の障子の支持構造。
【発明の詳細な説明】
【技術分野】
【０００１】
本発明は、例えば、二重ガラス障子の間の空間に空気を流通させるエアフロー窓のような二重窓に用いられる障子の支持構造に関する。
【背景技術】
【０００２】
エアフロー窓では、二重のガラス製障子の間の空間に、例えば下側から室内の空気を取り入れ、上側から排気することにより、空気を流通させる。これにより、内側の障子の温度を室内空気温度に近づけることができ、冬季において室内での結露を防止し、また、窓際での放射冷却を防止して居住環境を改善することができる。窓（外側の障子の内面と内側の障子の外面）の清掃や、この空間に配置されるブラインド等のメンテナンスのためにこの空間を開放する必要が有る。
【０００３】
このため、内側の障子は蝶番を介して窓の吊元側の縦枠に取り付けられ、室内側に開くことができるようになっている。一方、戸先側の縦枠には障子の先端を受ける溝や、開き止めの掛け金が設けられている。吊元側の蝶番と戸先側の部品は、構造も外観も大きく異なっている。
【発明の開示】
【発明が解決しようとする課題】
【０００４】
上記のようなエアフロー窓用の内障子において、吊元側を左右いずれに配置するかは、設置時の室内の備品の配置等によって決められる。したがって、部屋の使用目的や使用者が変わるに従い、開き勝手を変更する必要が生じることも多い。この場合、蝶番は左用と右用とが別個のものであり、融通性が無いので、左右を入れ替えるには、異なるタイプの蝶番を新たに用意しなければならない。したがって、新たな蝶番を調達する手間とコストが掛かる。これを予め近くの物入れ等に用意しておくことも考えられるが、管理が難しく、実際に必要な時には見つからないという事態が生じがちである。
【０００５】
また、上記の構造では、障子および支持体の吊元側および戸先側に取り付けられる金具が異なるので、左右の対称性がなく、アンバランスな感じを与え、美観を損なう。特に、オフィスビルなどでは採光性を良くするために、窓が大きく採られ、あるいは壁の全面が窓になっている。そのような場合には、上記のようなエアフロー窓が複数並んで設置されるが、それぞれのエアフロー窓の開き勝手は室内備品配置によって個別に決まるから、左右の対称性が無いと全体として不統一な印象を与える。
【０００６】
本発明は、前記事情に鑑みて為されたもので、開き勝手を変更する際に、新たな蝶番部品の調達を不要とし、このような変更を低コストでかつ簡単な作業によって実施できる障子の支持構造を提供することを目的とする。また、本発明は、さらに、吊元側および戸先側の金具の外観の不統一感を無くし、窓に高いデザイン性を付与できる障子の支持構造を提供することを目的とする。
【課題を解決するための手段】
【０００７】
前記目的を達成するために、請求項１に記載の障子の支持構造は、建物の左右の縦枠に挟まれた空間に、障子を蝶番によって開閉自在に支持するための障子の支持構造であって、前記障子の左右の縁部には、同じ高さ位置に蝶番結合部が設けられ、前記左右の縦枠の双方に、前記障子を開閉自在に支持可能な蝶番が、前記左右の蝶番結合部に対応する位置に取り付けられていることを特徴とする。
【０００８】
請求項２に記載の障子の支持構造は、請求項１に記載の発明において、前記蝶番結合部は、前記障子に穿設された取付穴を挿通するねじ部材と、このねじ部材に螺合する固定部材とを有することを特徴とする。
【０００９】
請求項３に記載の障子の支持構造は、請求項１または請求項２に記載の発明において、前記蝶番には係止爪が設けられ、前記蝶番結合部には、前記係止爪に係脱自在な掛け金が設けられていることを特徴とする。
【００１０】
請求項４に記載の障子の支持構造は、請求項１ないし請求項３のいずれかに記載の発明において、前記障子は、外壁ガラスと内障子からなる二重窓の内障子であることを特徴とする。
【００１１】
請求項５に記載の障子の支持構造は、請求項４に記載の発明において、前記外壁ガラスと内障子の間の空間に通気する通気手段が設けられていることを特徴とする。
【発明の効果】
【００１２】
請求項１に記載の発明によれば、障子の左右の縁部には、同じ高さ位置に蝶番結合部が設けられ、左右の縦枠の双方に、障子を開閉自在に支持可能な蝶番が、前記左右の蝶番結合部に対応する位置に取り付けられているので、蝶番と蝶番結合部を結合することによっていずれの側も吊元側とすることができる。また、障子の両側縁部に蝶番結合部が設けられており、縦枠にも、両側に蝶番が取り付けられており、いずれもデザイン的に対称である。したがって、開き勝手のいかんに拘わらず、左右のアンバランスや不規則さが無く、良好な美観を提供することができる。
【００１３】
請求項２に記載の発明によれば、請求項１に記載の発明と同様の効果を得ることができるのは勿論のこと、蝶番結合部は、障子に穿設された取付穴を挿通するねじ部材と、このねじ部材に螺合する固定部材とを有しており、障子を挟んで蝶番と固定部材をねじで結合することにより、障子を蝶番に強固に取り付けることができる。
【００１４】
請求項３に記載の発明によれば、請求項１または請求項２に記載の発明と同様の効果を得ることができるのは勿論のこと、戸先側に配置された蝶番に設けられた係止爪を、掛け金と係合させることにより、障子を閉状態に維持することができ、戸先側に配置された蝶番を係止金具として活用することで、別の係止金具の必要性を排除する。
【００１５】
請求項４に記載の発明によれば、請求項１ないし請求項３のいずれかに記載の発明と同様の効果を得ることができるのは勿論のこと、外壁ガラスと内障子からなる二重窓の内障子の開き勝手を容易に変更することができ、また、デザイン的な対称性を確保することで、このような二重窓の利用を促進し、また、美観を向上させることができる。
【００１６】
請求項５に記載の発明によれば、請求項４に記載の発明と同様の効果を得ることができるのは勿論のこと、外壁ガラスと内障子の間の空間に通気することにより、内障子の温度を室内温度と近づけることができ、居住性を向上させることができる。
【発明を実施するための最良の形態】
【００１７】
以下、図面を参照してこの発明の実施の形態を説明する。
図１ないし図３は、この発明の障子の支持構造が採用されている窓の構造を示すもので、この実施の形態では、建物Ｂの壁が全体としてガラス張りとなっており、建物Ｂの上下方向に延びる方立（縦枠）１０と横枠１１にガラスが取り付けられている。部屋の部分に対応する窓部１２は、図１に示すように、方立１０に嵌め込まれた外壁ガラス（外障子）１３と、内側（部屋側）に開閉可能な内障子（障子）１４とからなる二重窓構造になっている。
【００１８】
内障子１４の下端には通気孔１５が配置され、内障子１４と外壁ガラス１３の間の空間（通気空間）１６は上部において排気ダクトに通じている。したがって、室内の空気は下側の通気孔から取り込まれ、通気空間１６を上部に流れて排気ダクトから排気される。排気は、外部に捨てられ、あるいは循環して室内に環気される。これにより、内障子１４の温度を室内空気温度に近づけることができ、冬季において室内での結露を防止し、また、窓際での冷ふく射を防止して居住環境を改善する。また、夏期には、通気空間１６にブラインドを配置し、このブラインドが吸収した熱を、通気により外部に放出するようにして、室内の温度上昇を防止することができる。
【００１９】
図４は、内障子１４および外壁ガラス１３を支持する構造を示すもので、上下方向に延びる柱状の方立１０の部分を含む横断面図である。外壁ガラス１３は、方立１０の外端側に樹脂やゴム製のパッキン等を介して固定的に取り付けられている。内障子１４は、方立１０の内端側において、左右いずれかを吊元として蝶番１８により開閉自在に取り付けられている。図４において、左側は吊元側であり、右側は戸先側である。この発明の障子の支持構造では、図示するようにいずれの側の方立１０にも蝶番１８が取り付けられているが、蝶番１８が障子に取り付けられているのは、吊元側だけであり、戸先側の蝶番１８は内障子１４に取り付けられていない。
【００２０】
図５は、内障子１４の上端部分を示す図であり、幅方向の中央部は省略している。内障子１４は、強化ガラス製の１枚板であり、端部は断面コ字状の金属または樹脂製のカバー２０で覆われ、このカバー２０には、裏面側に延びるリップシール２１が取り付けられている。内障子１４の側縁部には、左右の同じ高さ位置に、蝶番結合部２２が設けられている。図において、左側が吊元側、右側が戸先側の蝶番結合部２２を示しており、吊元側では、これに結合されている蝶番１８が省略されている。蝶番結合部２２は、図示例では、片側で上下の２ヶ所、計４カ所に設けられているが、必要に応じて片側１カ所または３カ所以上に設けてもよい。
【００２１】
蝶番結合部２２には、図６（ｂ）に示すように、内障子１４に縦に３つの穴２３ａ，２３ｂ，２３ｃが穿設され、上端側の２つは蝶番１８と内障子１４を結合するための取付穴２３ａ，２３ｂであり、他は、掛け金部材２６を挿通させる挿通穴２３ｃである。蝶番結合部２２の表面側（室内側）には、長円形状で、裏面側の構造を隠すことができる大きさを持つ化粧板（固定部材）２４が取り付けられている。化粧板２４には、取付穴２３ａ，２３ｂの位置に対応して、ガラス面に接する側に開口するねじ穴２５が形成され、後述する皿ねじ３５の先端が螺合される。また、化粧板２４の下側部分には、挿通穴２３ｃに対応する位置に、掛け金部材２６の軸頭部２７を収容する開口２８が設けられている。なお、化粧板２４は長円形状のほか、長方形などでもよい。掛け金部材２６は挿通穴２３ｃを挿通して裏面側に延び、その先端には掛け金片３３が設けられている。軸頭部２７には２つの凹部２９が形成され、これに治具を挿入して回動させることにより、掛け金を蝶番１８側の係止爪３０に係脱可能としている。
【００２２】
蝶番結合部２２の裏面側（通気空間１６側）には、ライナー３１を挟んで押え板３２が取り付けられている。押え板３２は、吊元側では肉厚であり、戸先側では肉薄である。各押え板３２およびライナー３１には、取付穴２３ａ，２３ｂの位置に対応する位置にねじ挿入用穴が、挿通穴２３ｃに対応する位置に掛け金取付用穴が形成されている。掛け金取付用穴には、先に述べたように、掛け金部材２６が挿入され、裏面側から掛け金片３３が突出している。蝶番結合部２２は、内障子１４を蝶番１８と結合するための構成要素として、最小限、化粧板２４と皿ねじ３５を有するものである。
【００２３】
図７は、蝶番１８を蝶番結合部２２に結合する方法を説明する図である。蝶番１８は、先に説明したように、建物Ｂの方立（縦枠）１０に一方の羽根１８ａをねじ固定することにより、吊元側および戸先側の双方に取り付けられているが、他方の羽根１８ｂが実際に蝶番結合部２２に取り付けられるのは、吊元側の蝶番１８だけである。図７では、図５と左右が逆になっているが、吊元側が示されている。図示するように、まず、蝶番結合部２２の押え板３２に蝶番１８の羽根１８ｂを重ねる。その上にねじ座３４を、その表面に突出するボス部３４ａが取付穴２３ａ，２３ｂに挿入されたガラス穴ライナー４０の中に挿入されるように重ねる。そして、ねじ座３４に形成されたねじ穴３４ａ，３４ｂに皿ねじ３５を挿入し、その先端を化粧板２４のねじ穴２５に螺合させて締結する。これにより、蝶番１８が蝶番結合部２２を介して内障子１４に結合される。
【００２４】
蝶番１８の内障子１４に取り付けられる羽根１８ｂには、ねじ座３４を固定するための止めねじ保持部３６が突出して設けられ、ねじ座３４と蝶番１８の羽根１８ｂの互いの接合面には鋸歯状の凹凸であるローレット（図示略）が形成されている。皿ねじ３５を螺合させる前に、このローレットを用いてねじ座３４に形成されたねじ穴２５の位置を内障子１４の取付穴２３ａ，２３ｂの位置と合わせた状態で、止めねじ保持部３６に止めねじ３７を螺合させてねじ座３４を固定する。これにより、最終的に皿ねじ３５が、内障子１４に穿設した取付穴２３ａ，２３ｂの中心に来るように位置決めされ、ガラス穴ライナー４０、ねじ座３４を介してガラスの自重が蝶番１８に支持される。なお、戸先側の止めねじ保持部３６には、図９に示すように、戸当たりゴム３８が取り付けられ、戸先に対する緩衝作用をする。
【００２５】
このような構成の障子の支持構造を有する窓においては、内障子１４に、吊元側だけでなく戸先側にも蝶番結合部２２が設けられており、デザイン的な左右対称性を確保している。また、方立１０側にも、吊元側だけでなく戸先側にも蝶番１８が取り付けられており、こちらもデザイン的に対称である。したがって、このような窓が単独に有る場合、あるいは複数が並列配置されている場合のいずれも、開き勝手のいかんに拘わらず、左右のアンバランスや不規則さが無く、良好な美観を提供することができる。
【００２６】
次に、上記のように構成された窓において、内障子１４の開き勝手を変更する方法を、図８および図９を参照して説明する。ここでは、吊元が室内から見て左側であったものを右側に変更する場合を説明する。
まず、図８に示すように、内障子１４を開いた状態で人手で保持し、図７に示すように、吊元側の蝶番１８を蝶番結合部２２に取り付けている皿ねじ３５を外し、内障子１４を取り外して床に置く。そして、戸先側の蝶番結合部２２の皿ねじ３５、および両側の掛け金部材２６、押え板３２およびライナー３１を取り外し、左右を変えて取り付けることにより交換すると、内障子１４は、図５に示す状態となる。一方、方立１０に取り付けられた蝶番１８について、図９に示すように、吊元側の蝶番１８の羽根１８ｂに取り付けられたねじ座３４と、戸先側の蝶番１８の羽根１８ｂに取り付けられた戸当たりゴム３８とを左右で付け替える。
【００２７】
次に、新たに吊元となる右側の蝶番結合部２２を右側の蝶番１８に取り付ける。この際、ねじ座３４の位置をねじ座３４に形成されたねじ穴２５の位置が内障子１４の取付穴２３ａ，２３ｂの位置と合うように調整してから、皿ねじ３５を螺合させる。先に述べたように、ねじ座３４の位置調整は、ねじ座３４と蝶番１８の羽根１８ｂの接合面に形成されたローレットを用いることで比較的簡単に行える。吊元側を取り付けた後、内障子１４を閉じ、室内側から戸先側の掛け金部材２６を回動し、掛け金片３３と蝶番１８の係止爪３０とを係合させることにより、開き止めを行なう。
【００２８】
上記の方法では、一旦内障子１４を外して、床に置き、それぞれ内障子１４の蝶番結合部２２および蝶番１８側の作業を個別に行なうので、中途半端に開いた状態で行なうより、安全性が確保できる。そして、新たな吊元側の蝶番１８は予め窓枠（方立１０）側に取り付けられており、他の必要な部品は左右で交換すればよいので、新たに部品を調達したり、部品の保管場所を探したりする必要がなく、開き勝手の変更のための事前の準備が必要が無い。したがって、部屋内における備品の新たな配置に基づき、その場で開き勝手の変更作業を始めることができる。
【００２９】
なお、上記の方法では、内障子１４を外して変更作業を行ったが、内障子１４と外壁ガラス１３の間の通気空間１６の幅が充分有って、内障子１４を閉じた状態で人が中に入れる場合には、内障子１４を閉じたままで変更作業を行なうことができる。その場合には、現吊元側を結合した状態で現戸先側を結合し、それから、現吊元側の蝶番１８と蝶番結合部２２の結合を切り離せばよいが、吊元側の部品（押え板３２、ねじ座３４等）が余分に必要となる。そこで、まず、現吊元側の上下のいずれか１つの結合を外し、他の蝶番１８によって内障子１４を支持した状態で、外した部品を使って新たな吊元側の蝶番１８の取付を行い、これを繰り返すことによって入れ替え作業を余分な部品を使わずに行なうことができる。
【００３０】
以上、この発明を、実施の形態に基づいて説明したが、この発明はこれに限定されるものではなく、発明の趣旨に添って種々の改変が可能である。
例えば、上記においては、複数の窓が並置されていたが、単独であってもよい。また、上記では、エアフロー窓の内障子に用いたが、単なる二重窓でも、内側が開閉するものであれば採用可能である。また、二重窓ではなく、通常の１枚ガラスの窓に採用できる。障子は、ガラスでなく、他の素材であってもよい。また、窓ではなく、扉として用いられる障子を支持する構造であってもよい。
【産業上の利用可能性】
【００３１】
この発明は、窓などの障子の支持構造として利用することができ、特に、オフィスビルなどの窓を構成する比較的大きい、ガラス製の障子等を開閉自在に支持するための障子の支持構造として産業上の利用可能性を有する。
【図面の簡単な説明】
【００３２】
【図１】この発明の障子の支持構造の実施の形態が採用された建物の断面図である。
【図２】図１の建物の外観を示す図である。
【図３】図１の窓部の横断面図である。
【図４】図３の要部を拡大して示す図である。
【図５】内障子を裏面側から見た斜視図である。
【図６】（ａ）は化粧板を示す図、（ｂ）は吊元側の蝶番結合部を示す断面図である。
【図７】吊元側の蝶番結合部を示す斜視図である。
【図８】内障子の開き勝手を変更する作業を示す図である。
【図９】内障子の開き勝手を変更する際の蝶番結合部を示す図である。
【符号の説明】
【００３３】
１０  方立（縦枠）
１３  外壁ガラス
１４  内障子（障子）
１６  通気空間
１８  蝶番
２２  蝶番結合部
２３ａ，２３ｂ  取付穴
２４  化粧板（固定部材）
２５  ねじ穴
３５  皿ねじ
Ｂ  建物
【図１】
2005083076.tif 000003
【図２】
2005083076.tif 000004
【図３】
2005083076.tif 000005
【図４】
2005083076.tif 000006
【図５】
2005083076.tif 000007
【図６】
2005083076.tif 000008
【図７】
2005083076.tif 000009
【図８】
2005083076.tif 000010
【図９】
2005083076.tif 000011